(57)【要約】  本発明はＡＮＲタスク実行方法、システム及びＡＮＲユーザー設備管理方法、装置を公開して、ＡＮＲ機能が起動される時に、起動されたＡＮＲ機能が対応するユーザー設備を選択して、そして選択されたユーザー設備のために当該ＡＮＲ機能とマッチングされる不連続受信配置を配置し、即ち、本発明はＡＮＲ機能により選択されたＵＥに対してマッチングされるＤＲＸパラメーターを専門的に配置して、全体セルにおけるＬｏｎｇ  ＤＲＸを配置したＵＥ中で、リクエストを満たすＵＥを検索する必要がなくて、そのため、ＡＮＲタスク実行の効率及び成功率を向上させ、同時に、本発明はＡＮＲ機能により選択されたＵＥに限って専門的な配置を行われければならず、全体セルにおけるすべてのＵＥの配置を変更することがないので、セルのＫＰＩに対する影響を大幅に削減させて、セル全体のユーザー体験の満足度を向上させる。【選択図】図１
2016508307.tif 000002
【特許請求の範囲】
【請求項１】
自動近隣関係（ＡＮＲ）タスク実行方法であって、
ＡＮＲ機能が起動される時に、対応するユーザー設備を選択することと、
前記ユーザー設備のために前記ＡＮＲ機能とマッチングされる不連続受信配置を配置することと、
前記不連続受信配置に基づいて対応するＡＮＲタスクを実行することと、を含む、前記ＡＮＲタスク実行方法。
【請求項２】
前記ユーザー設備のために前記ＡＮＲ機能とマッチングされる前記不連続受信配置を配置することは、
前記ＡＮＲ機能がシステム内のＡＮＲ機能である場合、前記ユーザー設備のためにシステム内のＡＮＲ機能をサポートする不連続受信パラメーターを配置することと、
前記ＡＮＲ機能がシステム間のＡＮＲ機能である場合、前記ユーザー設備のためにシステム間のＡＮＲ機能をサポートする不連続受信パラメーターを配置することと、を含むことを特徴とする
請求項１に記載のＡＮＲタスク実行方法。
【請求項３】
前記ユーザー設備のために前記ＡＮＲ機能とマッチングされる前記不連続受信配置を配置することは、
前記ユーザー設備のために前記ＡＮＲ機能をサポートする不連続受信パラメーターを配置した後、前記ユーザー設備を、ＡＮＲ機能により選択される状態に設定することをさらに含むことを特徴とする
請求項２に記載のＡＮＲタスク実行方法。
【請求項４】
前記ユーザー設備へ前記ＡＮＲ機能とマッチングされる前記不連続受信配置を配置することは、
前記ユーザー設備のために前記ＡＮＲ機能をサポートする不連続受信パラメーターを配置した後、前記ＡＮＲタスクに対応するタイマーを起動させることをさらに含むことを特徴とする
請求項２に記載のＡＮＲタスク実行方法。
【請求項５】
前記不連続受信配置に基づいて前記対応するＡＮＲタスクを実行することは、
前記ＡＮＲタスクが実行完了するか否か又は前記タイマーがタイムアウトするか否かを判断して、肯定の場合、前記ユーザー設備に対して不連続受信配置の除去操作を行うことを含むことを特徴とする
請求項１〜４のいずれか１項に記載のＡＮＲタスク実行方法。
【請求項６】
前記不連続受信配置に基づいて前記対応するＡＮＲタスクを実行することは、
前記ユーザー設備が不連続受信配置の解放リクエストを始動するか否かを判断して、肯定の場合、前記ユーザー設備に対して不連続受信配置の解放操作を行い、又は前記ユーザー設備が不連続受信配置の変更リクエストを始動するか判断して、肯定の場合、サービスに基づいて不連続受信配置を配置することについて、前記ユーザー設備が適合するか否かを判断して、適合する場合、前記ユーザー設備に対して不連続受信配置を再配置し、適合しない場合、不連続受信配置を解放することをさらに含むことを特徴とする
請求項５に記載のＡＮＲタスク実行方法。
【請求項７】
自動近隣関係（ＡＮＲ）ユーザー設備管理方法であって、
ＡＮＲ機能が起動される時に、対応するユーザー設備を選択することと、
前記ユーザー設備のために前記ＡＮＲ機能とマッチングされる不連続受信配置を配置することを含む、前記ＡＮＲユーザー設備管理方法。
【請求項８】
前記ユーザー設備のために前記ＡＮＲ機能とマッチングされる前記不連続受信配置を配置することは、
前記ＡＮＲ機能がシステム内のＡＮＲ機能である場合、前記ユーザー設備のためにシステム内のＡＮＲ機能をサポートする不連続受信パラメーターを配置することと、
前記ＡＮＲ機能がシステム間のＡＮＲ機能である場合、前記ユーザー設備のためにシステム間のＡＮＲ機能をサポートする不連続受信パラメーターを配置することと、を含むことを特徴とする
請求項７に記載のＡＮＲユーザー設備管理方法。
【請求項９】
前記ユーザー設備のために前記ＡＮＲ機能とマッチングされる前記不連続受信配置を配置することは、
前記ユーザー設備のために前記ＡＮＲ機能をサポートする前記不連続受信パラメーターを配置した後、前記ユーザー設備をＡＮＲ機能により選択される状態に設定することをさらに含むことを特徴とする
請求項８に記載のＡＮＲユーザー設備管理方法。
【請求項１０】
前記ユーザー設備のために前記ＡＮＲ機能とマッチングされる前記不連続受信配置を配置することは、
前記ユーザー設備のために前記ＡＮＲ機能をサポートする前記不連続受信パラメーターを配置した後、前記ＡＮＲタスクに対応するタイマーを起動させることをさらに含むことを特徴とする
請求項８に記載のＡＮＲユーザー設備管理方法。
【請求項１１】
前記ユーザー設備のために前記ＡＮＲ機能とマッチングされる前記不連続受信配置を配置した後、前記方法は、
前記ＡＮＲタスクが実行完了するか否か又は前記タイマーがタイムアウトするか否かを判断し、肯定の場合、前記ユーザー設備に対して不連続受信配置の除去操作を行うことをさらに含むことを特徴とする
請求項１０に記載のＡＮＲユーザー設備管理方法。
【請求項１２】
自動近隣関係（ＡＮＲ）ユーザー設備管理装置であって、
ＡＮＲ機能が起動される時に、対応するユーザー設備を選択するように構成されるユーザー設備選択モジュールと、
前記ユーザー設備選択モジュールにより選択されたユーザー設備のために前記ＡＮＲ機能とマッチングされる不連続受信配置を配置するように構成される不連続受信配置モジュールと、を含む、前記ＡＮＲユーザー設備管理装置。
【請求項１３】
前記不連続受信配置モジュールは、判断サブモジュールと配置サブモジュールを含み、
前記判断サブモジュールは、前記ＡＮＲ機能がシステム内のＡＮＲ機能であるか否か又はシステム間のＡＮＲ機能であるか否かを判断して、判断結果を前記配置サブモジュールに送信するように構成され、
前記配置サブモジュールは、前記判断結果がシステム内のＡＮＲ機能である場合、前記ユーザー設備のためにシステム内のＡＮＲ機能をサポートする不連続受信パラメーターを配置し、及び前記判断結果がシステム間のＡＮＲ機能である場合、前記ユーザー設備のためにシステム間のＡＮＲ機能をサポートする不連続受信パラメーターを配置するように構成されることを特徴とする
請求項１２に記載のＡＮＲユーザー設備管理装置。
【請求項１４】
前記不連続受信配置モジュールはタイマー起動サブモジュールをさらに含み、
前記タイマー起動サブモジュールは、前記配置サブモジュールが前記ユーザー設備のために前記ＡＮＲ機能をサポートする不連続受信パラメーターを配置した後、対応する前記ＡＮＲタスクのタイマーを起動させるように構成されることを特徴とする
請求項１３に記載のＡＮＲユーザー設備管理装置。
【請求項１５】
自動近隣関係（ＡＮＲ）タスク実行システムであって、
ＡＮＲユーザー設備管理装置と少なくとも一つのユーザー設備を含み、前記ＡＮＲユーザー設備管理装置は、ユーザー設備選択モジュールと不連続受信配置モジュールを含み、
前記ユーザー設備選択モジュールは、ＡＮＲ機能が起動される時に、前記少なくとも一つのユーザー設備から対応するユーザー設備を選択するように構成され、
前記不連続受信配置モジュールは、前記ユーザー設備選択モジュールにより選択された前記ユーザー設備のために前記ＡＮＲ機能とマッチングされる不連続受信配置を配置するように構成され、
前記ユーザー設備選択モジュールにより選択されたユーザー設備は、前記不連続受信配置に基づいて対応するＡＮＲタスクを実行するように構成される、前記ＡＮＲタスク実行システム。
【発明の詳細な説明】
【技術分野】
【０００１】
本発明は通信分野に関して、具体的に自動近隣関係（ＡＮＲ、Ａｕｔｏｍａｔｉｃ Ｎｅｉｇｈｂｏｒ Ｒｅｌａｔｉｏｎ）タスク実行方法、システム及びＡＮＲユーザー設備管理方法、装置に関する。
【背景技術】
【０００２】
３ＧＰＰのロングタームエボリューションプロジェクトシステムにおいて、無線リソース制御（ＲＲＣ、Ｒａｄｉｏ Ｒｅｓｏｕｒｃｅ Ｃｏｎｔｒｏｌ）接続状態で不連続受信（ＤＲＸ：Ｄｉｓｃｏｎｔｉｎｕｏｕｓ Ｒｅｃｅｐｔｉｏｎ）を導入した。ＤＲＸというのは、端末がダウンリンクスケジュールとダウンリンクデータを非連続受信し、ダウンリンクデータを受信する必要がない際に、端末が休眠（ｓｌｅｅｐ）状態にあってもよく、端末の無線周波数ユニット、他の処理ユニットがいずれも稼働しなくてもよく、省エネルギーの目的を達することを指す。
【０００３】
ＡＮＲが自己組織化ネットワーク（ＳＯＮ：Ｓｅｌｆ-Ｏｒｇａｎｉｚｉｎｇ Ｎｅｔｗｏｒｋｓ）機能のキー技術の一つであって、隣接セル関係の自己配置と自己組織化を実現し、ネットワーク計画とネットワーク組織化の作業者の作業強度を緩和して、ネットワーク構築への投資と運用コストを削減できる。従来の技術は、ＡＮＲ測定を実施するＵＥが必ずＬｏｎｇ ＤＲＸ能力を備え、且つＵＥがＤＲＸを配置して、ＤＲＸのｓｌｅｅｐ状態だけでＡＮＲ測定を実施しなければならないと規定している。現在の標準化された９種類のＱｏＳのクラス識別子（ＱＣＩ：ＱｏＳ Ｃｌａｓｓ Ｉｄｅｎｔｉｆｉｅｒ）の時間遅延が最大で３００ｍｓであることをリクエストし、システムの間のＡＮＲはＤＲＸ周期の配置が１０００ｍｓ以上であることをリクエストしていることで、異システムの隣接セルのセルグローバル識別子（ＣＧＩ： Ｃｅｌｌ Ｇｌｏｂａｌ Ｉｄｅｎｔｉｆｉｅｒ）を測定するリクエストを完成できるので、このような条件に従って検索する場合、条件を満たすユーザー設備（ＵＥ：Ｕｓｅｒ Ｅｑｕｉｐｍｅｎｔ）を検出できない可能性があり、且つ条件を満たすＵＥを検索することはより長い時間をかかって、実行効率及び成功率がいずれもより低い。セルにおけるすべてのＵＥに配置したＤＲＸ周期を１０００ｍｓ以上に配置する場合、ＵＥのサービス品質（ＱｏＳ：Ｑｕａｌｉｔｙ ｏｆ Ｓｅｒｖｉｃｅ）がよくなく、セルの重要業績評価（ＫＰＩ：Ｋｅｙ Ｐｅｒｆｏｒｍａｎｃｅ Ｉｎｄｉｃａｔｏｒ）指標に影響を与える。
【発明の概要】
【０００４】
本発明に係る実施例によって解決しようとする主な課題は、ＡＮＲタスク実行方法、システム及びＡＮＲユーザー設備管理方法、装置を提供して、従来のＡＮＲタスク実行効率及び成功率が低く、及びセル全体ユーザー体験の満足度が低い問題を解決することにある。
【０００５】
前記課題を解決するために、本発明の実施例は、自動近隣関係（ＡＮＲ）タスク実行方法を提供し、当該方法は、ＡＮＲ機能が起動される時に、対応するユーザー設備を選択することと、前記ユーザー設備のために前記ＡＮＲ機能とマッチングされる不連続受信配置を配置することと、前記不連続受信配置に基づいて対応するＡＮＲタスクを実行することと、を含む。
【０００６】
本発明の一つの実施例において、前記ユーザー設備のために前記ＡＮＲ機能とマッチングされる前記不連続受信配置を配置することは、前記ＡＮＲ機能がシステム内のＡＮＲ機能である場合、前記ユーザー設備のためにシステム内のＡＮＲ機能をサポートする不連続受信パラメーターを配置することと、前記ＡＮＲ機能がシステム間のＡＮＲ機能である場合、前記ユーザー設備のためにシステム間のＡＮＲ機能をサポートする不連続受信パラメーターを配置することと、を含む。
【０００７】
本発明の一つの実施例において、前記ユーザー設備のために前記ＡＮＲ機能とマッチングされる前記不連続受信配置を配置することは、前記ユーザー設備のために前記ＡＮＲ機能をサポートする不連続受信パラメーターを配置した後、前記ユーザー設備をＡＮＲ機能により選択される状態に設定することをさらに含む。
【０００８】
本発明の一つの実施例において、前記ユーザー設備のために前記ＡＮＲ機能とマッチングされる前記不連続受信配置を配置することは、前記ユーザー設備のために前記ＡＮＲ機能をサポートする不連続受信パラメーターを配置した後、前記ＡＮＲタスクに対応するタイマーを起動させることをさらに含む。
【０００９】
本発明の一つの実施例において、前記不連続受信配置に基づいて前記対応するＡＮＲタスクを実行することは、前記ＡＮＲタスクが実行完了するか否か又は前記タイマーがタイムアウトするか否かを判断して、肯定の場合、前記ユーザー設備に対して不連続受信配置の除去操作を行うことを含む。
【００１０】
本発明の一つの実施例において、前記不連続受信配置に基づいて前記対応するＡＮＲタスクを実行することは、前記ユーザー設備が不連続受信配置の解放リクエストを始動するか否かを判断して、肯定の場合、前記ユーザー設備に対して不連続受信配置の解放操作を行い、又は前記ユーザー設備が不連続受信配置の変更リクエストを始動するか否かを判断して、肯定の場合、サービスに基づいて不連続受信配置を配置することについて、前記ユーザー設備が適合するか否かを判断して、適合する場合、前記ユーザー設備に対して不連続受信配置を再配置し、適合しない場合、不連続受信配置を解放することをさらに含む。
【００１１】
前記課題を解決するために、本発明の実施例は、自動近隣関係（ＡＮＲ）ユーザー設備管理方法をさらに提供し、当該方法は、ＡＮＲ機能が起動される時に、対応するユーザー設備を選択することと、前記ユーザー設備のために前記ＡＮＲ機能とマッチングされる不連続受信配置を配置することと、を含む。
【００１２】
本発明の一つの実施例において、前記ユーザー設備のために前記ＡＮＲ機能とマッチングされる前記不連続受信配置を配置することは、前記ＡＮＲ機能がシステム内のＡＮＲ機能である場合、前記ユーザー設備のためにシステム内のＡＮＲ機能をサポートする不連続受信パラメーターを配置することと、前記ＡＮＲ機能がシステム間のＡＮＲ機能である場合、前記ユーザー設備のためにシステム間のＡＮＲ機能をサポートする不連続受信パラメーターを配置することと、を含む。
【００１３】
本発明の一つの実施例において、前記ユーザー設備のために前記ＡＮＲ機能とマッチングされる前記不連続受信配置を配置することは、前記ユーザー設備のために前記ＡＮＲ機能をサポートする前記不連続受信パラメーターを配置した後、前記ユーザー設備をＡＮＲ機能により選択される状態に設定することをさらに含む。
【００１４】
本発明の一つの実施例において、前記ユーザー設備のために前記ＡＮＲ機能とマッチングされる前記不連続受信配置を配置することは、前記ユーザー設備のために前記ＡＮＲ機能をサポートする前記不連続受信パラメーターを配置した後、前記ＡＮＲタスクに対応するタイマーを起動させることをさらに含む。
【００１５】
本発明の一つの実施例において、前記ユーザー設備のために前記ＡＮＲ機能とマッチングされる前記不連続受信配置を配置した後、前記ＡＮＲタスクが実行完了するか否か又は前記タイマーがタイムアウトするか否かを判断して、肯定の場合、前記ユーザー設備に対して不連続受信配置の除去操作を行うことをさらに含む。
【００１６】
前記課題を解決するために、本発明の実施例は、自動近隣関係（ＡＮＲ）ユーザー設備管理装置をさらに提供し、当該装置は、ＡＮＲ機能が起動される時に、対応するユーザー設備を選択するように構成されるユーザー設備選択モジュールと、前記ユーザー設備選択モジュールにより選択されたユーザー設備のために前記ＡＮＲ機能とマッチングされる不連続受信配置を配置するように構成される不連続受信配置モジュールと、を含む。
【００１７】
本発明の一つの実施例において、前記不連続受信配置モジュールは判断サブモジュールと配置サブモジュールを含み、前記判断サブモジュールは、前記ＡＮＲ機能がシステム内のＡＮＲ機能であるか否か又はシステム間のＡＮＲ機能であるか否かを判断して、判断結果を前記配置サブモジュールに送信するように構成され、前記配置サブモジュールは、前記判断結果がシステム内のＡＮＲ機能である場合、前記ユーザー設備のためにシステム内のＡＮＲ機能をサポートする不連続受信パラメーターを配置し、及び、前記判断結果がシステム間のＡＮＲ機能である場合、前記ユーザー設備のためにシステム間のＡＮＲ機能をサポートする不連続受信パラメーターを配置するように構成される。
【００１８】
本発明の一つの実施例において、前記不連続受信配置モジュールは、タイマー起動サブモジュールをさらに含み、前記タイマー起動サブモジュールは、前記配置サブモジュールが前記ユーザー設備のために前記ＡＮＲ機能をサポートする不連続受信パラメーターを配置した後、対応する前記ＡＮＲタスクのタイマーを起動させるように構成される。
【００１９】
前記課題を解決するために、本発明の実施例は、自動近隣関係（ＡＮＲ）タスク実行システムをさらに提供し、当該システムは、ＡＮＲユーザー設備管理装置と少なくとも一つのユーザー設備を含み、前記ＡＮＲユーザー設備管理装置は、ユーザー設備選択モジュールと不連続受信配置モジュールを含み、前記ユーザー設備選択モジュールは、ＡＮＲ機能が起動される時に、前記少なくとも一つのユーザー設備から対応するユーザー設備を選択するように構成され、不連続受信配置モジュールは、前記ユーザー設備選択モジュールにより選択された前記ユーザー設備のために前記ＡＮＲ機能とマッチングされる不連続受信配置を配置するように構成され、前記ユーザー設備選択モジュールにより選択されたユーザー設備は、前記不連続受信配置に基づいて対応するＡＮＲタスクを実行するように構成される。
【００２０】
本発明に係る実施例により提供されるＡＮＲタスク実行方法、システム及びＡＮＲユーザー設備管理方法、装置は、ＡＮＲ機能が起動される時に、起動されたＡＮＲ機能のために、対応するユーザー設備を選択し、そして選択されたユーザー設備のために、当該ＡＮＲ機能とマッチングされる不連続受信ＤＲＸ配置を配置し、即ち、本発明の実施例はＡＮＲ機能により選択されたＵＥに対してマッチングされるＤＲＸパラメーターを専門的に配置して、全体セルにおけるＵＥ中でリクエストを満たすＵＥを検索する必要がなくて、そのため、ＡＮＲタスク実行の効率及び成功率を向上させ、同時に、本発明の実施例はＡＮＲ機能により選択されたＵＥ限って専門的な配置を行われければならず、全体セルにおけるすべてのＵＥの配置を変更することがないので、セルのＫＰＩに対する影響を大幅に削減させて、セル全体のユーザー体験の満足度を向上させる。
【図面の簡単な説明】
【００２１】
【図１】本発明の実施例一に係るＡＮＲユーザー設備管理装置の構造模式図である。
【図２】図１における不連続受信配置モジュールの構造模式図である。
【図３】本発明の実施例一に係るＡＮＲタスクを実行するプロセス模式図である。
【図４】図３におけるＵＥのためにＤＲＸ配置を配置するプロセス模式図である。
【図５】図３におけるＡＮＲタスクを実行するプロセス模式図である。
【図６】本発明の実施例一に係る不連続受信配置の解放リクエストに従ってＤＲＸパラメーターを解放するプロセス模式図である。
【図７】本発明の実施例一に係る不連続受信配置の変更リクエストに従ってＤＲＸパラメーターを配置するプロセス模式図である。
【図８】本発明の実施例一に係るもう一つのＡＮＲタスクを実行するプロセス模式図である。
【発明を実施するための形態】
【００２２】
実施例一
図１に示すように、本実施例として提供されるＡＮＲユーザー設備管理装置は、ユーザー設備選択モジュール１１（即ち、ＵＥ選択モジュールである）と不連続受信配置モジュール１２（即ち、ＤＲＸ配置モジュールである）を含み、
ＵＥ選択モジュール１１は、ＡＮＲ機能が起動される時に、対応するＵＥを選択するように構成されて、
ＤＲＸ配置モジュール１２は、ＵＥ選択モジュールにより選択されたＵＥのために前記ＡＮＲ機能とマッチングされるＤＲＸ配置を配置するように構成される。
【００２３】
ここで、前記ＤＲＸ配置モジュールが無線リソース制御（ＲＲＣ：Ｒａｄｉｏ Ｒｅｓｏｕｒｃｅ Ｃｏｎｔｒｏｌ）モジュールであってよい。
【００２４】
分かれるのは、本実施例におけるＡＮＲ機能により選択されたＵＥに対してマッチングされるＤＲＸパラメーターを専門的に配置して、セル全体のＵＥ中でＤＲＸリクエストを満たすＵＥを検索する必要がなく、そのため、ＡＮＲタスク実行の効率及び成功率を向上させ、同時に、ＡＮＲ機能により選択されたＵＥに限って専門的な配置を行われければならず、セル全体におけるすべてのＵＥの配置を変更することがないので、セルのＫＰＩに対する影響を大幅に削減させて、セル全体のユーザー体験の満足度を向上させる。
【００２５】
本実施例において、ＵＥ選択モジュールが対応するＵＥを選択するルールは、実際状況に従って設定でき、例えば、起動されたＡＮＲ機能がシステム内のＡＮＲ機能又はシステム間のＡＮＲ機能である場合、ＵＥ選択モジュールは以下の原則に従ってＵＥを選択できる。
【００２６】
（１）現在、ＵＥは非保証ビットレート（ＮＧＢＲ：Ｎｏｎ-Ｇｕａｒａｎｔｅｅｄ Ｂｉｔ Ｒａｔｅ）サービスのみ有する。
【００２７】
（２）ＵＥは現在の状態がセルエッジユーザー（ＣＥＵ：Ｃｅｌｌ Ｅｄｇｅ Ｕｓｅｒ）状態であって、即ち、ＵＥがＡ３-Ｅｎｔｅｒイベントをトリガし、Ａ３-Ｅｎｔｅｒイベントは、セル間干渉コーディネーション（ＩＣＩＣ：Ｉｎｔｅｒ-Ｃｅｌｌ Ｉｎｔｅｒｆｅｒｅｎｃｅ Ｃｏｏｒｄｉｎａｔｉｏｎ）のセンター区域／エージ区域判定の測定とワンセットのＡ３測定制御を共用できる。
【００２８】
（３）現在、ＵＥは制御面安定状態にある。
【００２９】
（４）ＵＥはＬｏｎｇ ＤＲＸ能力とＡＮＲ測定能力を備える。
【００３０】
ＵＥ選択モジュールは、選択された結果をＤＲＸ配置モジュールに送信し、ＤＲＸ配置モジュールは、選択されたＵＥのために対応するＡＮＲ機能タイプに対応するＤＲＸ配置を配置する。図２に示すように、本実施例におけるＤＲＸ配置モジュール１２は判断サブモジュール１２１と配置サブモジュール１２２を含み、
判断サブモジュール１２１は、起動されたＡＮＲ機能がシステム内のＡＮＲ機能又はシステム間のＡＮＲ機能であるか否かを判断して、判断結果を配置サブモジュールに送信するように構成され、
配置サブモジュール１２２は、受信された判断結果がシステム内のＡＮＲ機能である場合、選択されたＵＥのためにシステム内のＡＮＲ機能をサポートする不連続受信パラメーターを配置し、受信された判断結果がシステム間のＡＮＲ機能である場合、選択されたＵＥのためにシステム間のＡＮＲ機能をサポートする不連続受信パラメーターを配置するように構成される。
【００３１】
本実施例において、ＤＲＸ配置モジュールは、タイマー起動サブモジュール及び状態識別設定サブモジュールを含み、
タイマー起動サブモジュールは、配置サブモジュールが選択されたＵＥのためにＡＮＲ機能をサポートするＤＲＸパラメーターを配置した後、当該ＡＮＲタスクに対応するタイマーを起動し、例えば、起動されたＡＮＲ機能がシステム内のＡＮＲ機能である場合、システム内に対応するタイマーを起動し、起動されたＡＮＲ機能がシステム間のＡＮＲ機能である場合、システム間に対応するタイマーを起動するように構成される。
【００３２】
状態識別設定サブモジュールは、配置サブモジュールが選択されたＵＥのためにＡＮＲ機能をサポートする不連続受信パラメーターを配置した後、当該ＵＥをＡＮＲ機能により選択される状態に設定するように構成される。
【００３３】
前記の配置後、ＵＥ選択モジュールにより選択されたＵＥが、前記ＤＲＸ配置に基づいて対応するＡＮＲタスクを実行する。
【００３４】
好ましくは、本実施例におけるＡＮＲユーザー設備管理装置は不連続受信配置除去モジュールをさらに含み、ＡＮＲタスクが実行完了するか否か又は前記タイマーがタイムアウトするか否かを判断して、肯定の場合、このＵＥに対してＤＲＸ配置除去操作を行うように構成される。
【００３５】
本発明の技術的解決策をよりよく理解するために、以下でＡＮＲタスク実行の具体的なプロセスに組み合わせて本発明の技術的解決策に対してさらに説明する。図３に示すように、以下のステップを含む。
【００３６】
ステップ３０１：ＡＮＲ機能が起動される時、対応するＵＥを選択する。
【００３７】
ステップ３０２：選択されるＵＥのために前記ＡＮＲ機能とマッチングされるＤＲＸ配置を配置する。
【００３８】
ステップ３０３：前記ＤＲＸ配置に基づいて対応するＡＮＲタスクを実行する。
【００３９】
ステップ３０１において、ＵＥを選択するルールは、上述したルールを採用できる。
【００４０】
ステップ３０２において、選択されたＵＥのために前記ＡＮＲ機能とマッチングされるＤＲＸ配置を配置し、図４に示すように、具体的に、以下のとおりである。
【００４１】
ステップ４０１：ＵＥがシステム内のＡＮＲ機能により選択されるか否か、システム間のＡＮＲ機能により選択されるか否かを判断して、システム内のＡＮＲ機能により選択される場合、ステップ４０２に移行し、システム間のＡＮＲ機能により選択される場合、ステップ４０３に移行する。
【００４２】
ステップ４０２：システム内のＡＮＲ機能をサポートするＤＲＸパラメーターを取得して、タイマーがシステム内に対応するタイマーを選別して：ＴＡＮＲ＝ＴＡＮＲｉｎｔｒａ、ステップ４０４に移行する。
【００４３】
ステップ４０３：システム間のＡＮＲ機能をサポートするＤＲＸパラメーターを取得して、タイマーがシステム間に対応するタイマーを選別して：ＴＡＮＲ＝ＴＡＮＲｉｎｔｅｒ、ステップ４０４に移行する。
【００４４】
ステップ４０４：選択されるＤＲＸパラメーターに従って、選択されたＵＥのために配置を行って、同時にＵＥの状態をＡＮＲにより選択されるようにセットして、タイマーＴＡＮＲを起動する。
【００４５】
前記ステップ３０３において、配置されたＤＲＸパラメーターに基づいて対応するＡＮＲタスクを実行するプロセスは、図５を示すように、具体的に、以下のステップを含む。
【００４６】
ステップ５０１：ＡＮＲタスクが実行完了するか否か、又はタイマーＴＡＮＲがタイムアウトするか否かを判断して、肯定の場合、ステップ５０２に移行し、否定の場合、ステップ５０３に移行する。
【００４７】
ステップ５０２：ＵＥに対して不連続受信配置除去操作を行う。
【００４８】
ステップ５０３：ＵＥが続いてＡＮＲタスクを実行する。
【００４９】
同時に、ＡＮＲタスクを実行するプロセスにおいて、当該タスクを実行するＵＥに対するＱｏＳ影響を削減させるために、前記ステップ３０３において、図６と図７に示すように、さらに以下のステップを含む。
【００５０】
図６を参照する。
【００５１】
ステップ６０１：配置されたＤＲＸパラメーターを基づいて対応するＡＮＲタスクを実行するプロセスにおいて、ＵＥが不連続受信配置解放リクエストを始動するか否かを判断して、肯定の場合、ステップ６０２に移行し、否定の場合、ステップ６０３に移行する。
【００５２】
ステップ６０２：ＵＥのＤＲＸパラメーターを解放する。
【００５３】
ステップ６０３：ＵＥが続いてＡＮＲタスクを実行する。
【００５４】
図７を参照する。
【００５５】
ステップ７０１：配置されたＤＲＸパラメーターを基づいて対応するＡＮＲタスクを実行するプロセスにおいて、ＵＥが不連続受信配置変更リクエストを始動するか否かを判断し、肯定の場合、ステップ７０２に移行して、否定の場合、ステップ７０６に移行する。
【００５６】
ステップ７０２：ＵＥに対してＤＲＸパラメーター除去操作を行う。
【００５７】
ステップ７０３：サービスを基づいてＤＲＸパラメーターを配置することに対して、前記ユーザー設備が適合するか否かを判断して、適合する場合、ステップ７０４に移行して、適合しない場合、ステップ７０５に移行する。
【００５８】
ステップ７０４：ＵＥに対して不連続受信配置を再配置する。
【００５９】
ステップ７０５：ＵＥのＤＲＸパラメーターを解放する。
【００６０】
ステップ７０６：ＵＥが続いてＡＮＲタスクを実行する。
【００６１】
本実施例において、ＵＥがＡＮＲタスクを実行完了した又はタイマーＴＡＮＲがタイムアウトした後、前記ステップ７０２から７０５までのステップを直接に実行してもいい。
【００６２】
前記ＡＮＲタスク実行の全体フローチャートが、図８に示すようである。
【００６３】
ステップ８０１：ＵＥがシステム内のＡＮＲ機能により選択されるか否か、又はシステム間のＡＮＲ機能により選択されるか否かを判断して、システム内のＡＮＲ機能により選択される場合、ステップ８０２に移行し、システム間のＡＮＲ機能により選択される場合、ステップ８０３に移行する。
【００６４】
ステップ８０２：システム内のＡＮＲ機能をサポートするＤＲＸパラメーターを取得して、タイマーがシステム内に対応するタイマーを選別して：ＴＡＮＲ＝ＴＡＮＲｉｎｔｒａ、ステップ８０４に移行する。
【００６５】
ステップ８０３：システム間のＡＮＲ機能をサポートするＤＲＸパラメーターを取得して、タイマーがシステム間に対応するタイマーを選別して：ＴＡＮＲ＝ＴＡＮＲｉｎｔｅｒ、ステップ８０４に移行する。
【００６６】
ステップ８０４：選択されるＤＲＸパラメーターに従って選択されたＵＥのために配置を行って、同時にＵＥの状態をＡＮＲに選択されるようにセットして、タイマーＴＡＮＲを起動させる。
【００６７】
ステップ８０５：配置されるＤＲＸパラメーターを基づいて対応するＡＮＲタスクを実行するプロセスにおいて、即ち、ＴＡＮＲがタイムアウトしない時に、ＵＥが不連続受信配置変更リクエストを始動するか否かを判断して、肯定の場合、ステップ８０６に移行して、否定の場合、ステップ８１０に移行する。
【００６８】
ステップ８０６：ＵＥに対してＤＲＸパラメーター除去操作を行う。
【００６９】
ステップ８０７：サービスに基づいて不連続受信配置を配置することに対して、前記ユーザー設備が適合するか否かを判断して、適合する場合、ステップ８０８に移行して、適合しない場合、ステップ８０９に移行する。
【００７０】
ステップ８０８：ＵＥに対してＤＲＸ配置を再配置する。
【００７１】
ステップ８０９：ＵＥのＤＲＸパラメーターを解放する。
【００７２】
ステップ８１０：ＵＥがＡＮＲタスクを完成するまで又はＴＡＮＲがタイムアウトするまで待機して、ステップ８０６に移行する。
【００７３】
分かれるのは、本実施例はＡＮＲ機能により選択されるＵＥに対してＤＲＸパラメーターを専門的に配置を行うことは、もっとも少ないＵＥを影響して、且つＵＥを影響する時間もっとも短くて、即ち、ＡＮＲ測定の成功率を向上させて、セル全体のユーザーの体験に影響を与えず、同時にＫＰＩ指標に影響を与えず、さらに、ＵＥのサービスに従ってタイムリーでＤＲＸパラメーターを調整して、ＡＮＲ機能を実行するＵＥに対するＱｏＳ影響を最低限に削減させることもできる。
【００７４】
よりよく本発明の技術的解決策を理解するように、以下で幾つかの具体的なＵＥ選択プロセス及びＡＮＲ実行のプロセスを例として説明を行う。
【００７５】
実施例二
ＬＴＥセルにおいて、異システムの（即システム間の）ＡＮＲスイッチをオープンして、Ａ３-Ｅｎｔｅｒイベントの閾値を-３ｄＢに、ＴＡＮＲｉｎｔｅｒを３ｓに設定する。
【００７６】
この時に、コードネームＢのＵＥがＡ３-Ｅｎｔｅｒイベントを報告して、ＵＥ選択モジュールにより判定し、コードネームＢのＵＥは、現在のＱＣＩ＝９のデフォルトベアラサービス、即ち、ＮＧＢＲサービスのみ有し、同時に、Ａ３-Ｅｎｔｅｒイベントが報告されたことは、ＵＥがセルエージにあることを示すため、ＣＥＵ状態に進入し、現在のＵＥが切り替えプロセス等をトリガしなくて、制御面安定状態にあり、同時にＵＥの能力がＬｏｎｇ  ＤＲＸとＡＮＲ測定能力を備え、そのため、このコードネームＢのＵＥが専門的にＡＮＲ測定に用いられるＵＥとして選択されて、当該ＵＥにシステム間のＡＮＲ機能により選択されたタグを付け、ＤＲＸ配置モジュールへ入力し、当該ＤＲＸ配置モジュールはＲＲＣモジュールであってよく、具体的に、以下のとおりである。
【００７７】
ステップ２１：コードネームＢのＵＥがシステム間のＡＮＲ機能により選択されることを判断して、ステップ２２に移行する。
【００７８】
ステップ２２：システム間のＡＮＲをサポートするＤＲＸパラメーターを取得して、ＤＲＸ周期を１２８０ｍｓに設定して、タイマーは、システム間のタイマーを選別して、ＴＡＮＲ＝ＴＡＮＲｉｎｔｅｒ＝３ｓ、ステップ２３に移行する。
【００７９】
ステップ２３：ＲＲＣモジュールがＤＲＸパラメーターを配置し、同時にＵＥ状態は、成功にＡＮＲにより選択されるようにセットされ、タイマーＴＡＮＲを起動させて、ステップ２４に移行する。
【００８０】
ステップ２４：タイマーＴＡＮＲが１ｓにカウントする時、ＵＥがＡＮＲタスクを完成して、セルグローバル識別子（ＣＧＩ、Ｃｅｌｌ Ｇｌｏｂａｌ Ｉｄｅｎｔｉｆｉｅｒ）は、当該ＵＥがＡＮＲタスクを実行完了することを報告して、専門的なＤＲＸパラメーター配置の除去プロセスを実行して、ステップ２５に移行する。
【００８１】
ステップ２５：サービスを基づいてＤＲＸパラメーターを配置することに対して、ＵＥが適合するか否かを判定して、セルのＤＲＸスイッチがオープンしないので、ＤＲＸパラメーターを配置しなくて、ステップ２６に移行する。
【００８２】
ステップ２６：サービスを基づいてＤＲＸパラメーターを配置することに対して、ＵＥが適合しなくて、即ち、ＤＲＸ機能モジュールがＤＲＸパラメーターを出力しない場合、ＤＲＸパラメーターを解放する。
【００８３】
実施例三
ＬＴＥセルにおいて、システム内ＡＮＲスイッチをオープンして、Ａ３-Ｅｎｔｅｒイベントの閾値を-３ｄＢに、ＴＡＮＲｉｎｔｅｒを１ｓに設定する。
【００８４】
この時に、コードネームＣのＵＥがＡ３-Ｅｎｔｅｒイベントを報告して、ＵＥ選択モジュールにより判定し、コードネームＣのＵＥが現在のＱＣＩ＝９のデフォルトベアラサービス、即ちＮＧＢＲサービスのみ有して、同時に、Ａ３-Ｅｎｔｅｒイベントが報告されたことは、ＵＥがセルエージにあることを示すため、ＣＥＵ状態に進入し、現在のＵＥが切り替えプロセス等をトリガしなくて、制御面安定状態にあり、同時にＵＥ能力がＬｏｎｇ ＤＲＸとＡＮＲ測定能力を備えることを検索し、そのため、当該コードネームＣのＵＥが専門的にＡＮＲ測定に用いられるＵＥとして選択され、当該ＵＥにシステム内ＡＮＲにより選択されるタグを付け、ＤＲＸ配置モジュールへ入力し、具体的に、以下のとおりである。
【００８５】
ステップ３１：コードネームＣのＵＥがシステム内のＡＮＲ機能により選択されることを判断して、ステップ３２に移行する。
【００８６】
ステップ３２：システム内ＡＮＲをサポートするＤＲＸパラメーターを取得して、ＤＲＸ周期を３２０ｍｓに設定して、タイマーがシステム内のタイマーを選別して、ＴＡＮＲ＝ＴＡＮＲｉｎｔｒａ＝１ｓ、ステップ３３に移行する。
【００８７】
ステップ３３：ＲＲＣがＤＲＸパラメーターを配置して、同時にＵＥ状態が成功にＡＮＲに選択されるようにセットされ、タイマーＴＡＮＲを起動して、ステップ３４に移行する。
【００８８】
ステップ３４:タイマーＴＡＮＲが０.５ｓにカウントする時、ＵＥがＡＮＲタスクを完成し、システム内ＣＧＩは当該ＵＥがＡＮＲタスクを実行完了することを報告し、専門的なＤＲＸパラメーター配置の除去プロセスを実行して、ステップ３５に移行する。
【００８９】
ステップ３５：サービスを基づいてＤＲＸパラメーターを配置することに対して、ＵＥが適合するか否かを判定して、セルのＤＲＸスイッチがオープンしないので、ＤＲＸパラメーターを配置しなくて、ステップ３６に移行する。
【００９０】
ステップ３６：サービスを基づいてＤＲＸパラメーターを配置することに対して、ＵＥが適合しなくて、即ち、ＤＲＸ機能モジュールがＤＲＸパラメーターを出力しない場合、ＤＲＸパラメーターを解放する。
【００９１】
実施例四
ＬＴＥセルにおいて、システム内ＡＮＲスイッチを開いて、Ａ３-Ｅｎｔｅｒイベントの閾値を-３ｄＢに、ＴＡＮＲｉｎｔｅｒを１ｓに設定する。
【００９２】
この時にコードネームＤのＵＥがＡ３-Ｅｎｔｅｒイベントを報告して、ＵＥ選択モジュールにより判定して、コードネームＤのＵＥが現在のＱＣＩ＝９とＱＣＩ＝６のＮＧＢＲベアラサービス、即ちＮＧＢＲサービスのみ有して、同時に、Ａ３-Ｅｎｔｅｒイベントが報告されたことは、ＵＥがセルエージにあることを示すため、ＣＥＵ状態に進入し、現在のＵＥが切り替えプロセス等をトリガしなくて、制御面安定状態にあり、同時にＵＥ能力がＬｏｎｇ ＤＲＸとＡＮＲ測定能力を備えることを検索し、そのため、当該コードネームＤのＵＥが専門的にＡＮＲ測定に用いられるＵＥとして選択されて、当該ＵＥにシステム内ＡＮＲにより選択されるタグを付け、ＤＲＸ配置モジュールへ入力し、具体的に、以下のとおりである。
【００９３】
ステップ４１：コードネームＤのＵＥがシステム内のＡＮＲ機能により選択されることを判断して、ステップ４２に移行する。
【００９４】
ステップ４２：システム内ＡＮＲをサポートするＤＲＸパラメーターを取得して、ＤＲＸ周期を３２０ｍｓに設定して、タイマーがシステム内のタイマーを選別して、ＴＡＮＲ＝ ＴＡＮＲｉｎｔｒａ＝１ｓ、ステップ４３に移行する。
【００９５】
ステップ４３：ＲＲＣがＤＲＸパラメーターを配置して、同時にＵＥ状態が成功にＡＮＲに選択されるようにセットされ、タイマーＴＡＮＲを起動させて、ステップ４４に移行する。
【００９６】
ステップ４４：タイマーＴＡＮＲが０.５ｓにカウントする時、ＵＥがＱＣＩ＝１のオーディオサービスを構築することを始動して、必ずＤＲＸパラメーターを除去することを判定し、そうでない場合はＵＥのＱｏＳに影響を与える。
【００９７】
ステップ４５：ＵＥに対して専門的なＤＲＸ配置除去のプロセスを実行する。
【００９８】
ステップ４６：サービスを基づいてＤＲＸパラメーターを配置することに対して、ＵＥが適合するか否かを判定して、セルのＤＲＸスイッチがオープンしないので、ＤＲＸパラメーターを配置しなくて、ステップ４７に移行する。
【００９９】
ステップ４７：サービスを基づいてＤＲＸパラメーターを配置することに対して、ＵＥが適合しなくて、即ち、ＤＲＸ機能モジュールがＤＲＸパラメーターを出力しない場合、ＤＲＸパラメーターを解放する。
実施例五
ＬＴＥセルにおいて、システム内ＡＮＲスイッチをオープンして、Ａ３-Ｅｎｔｅｒ イベントの閾値を-３ｄＢに、ＴＡＮＲｉｎｔｅｒを１ｓに設定する。
【０１００】
この時に、コードネームＥのＵＥがＡ３-Ｅｎｔｅｒイベントを報告して、ＵＥ選択モジュールにより判定して、コードネームＥのＵＥが現在のＱＣＩ＝９とＱＣＩ＝１のベアラサービスを有し、ＱＣＩ＝１のサービスがＧＢＲサービスであって、条件ａ）を満たさないので、ＡＮＲ機能により選択されることができない。
実施例六
ＬＴＥセルにおいて、システム内ＡＮＲスイッチをオープンして、Ａ３-Ｅｎｔｅｒ イベントの閾値を-３ｄＢに、ＴＡＮＲｉｎｔｅｒを１ｓに設定する。
【０１０１】
この時に、コードネームＦのＵＥがＡ３-Ｅｎｔｅｒイベントを報告して、ＵＥ選択モジュールにより判定して、コードネームＦのＵＥが現在のＱＣＩ＝９とＱＣＩ＝６のＮＧＢＲベアラサービス、即ち、ＮＧＢＲサービスのみ有して、同時に、Ａ３-Ｅｎｔｅｒイベントが報告されたことは、ＵＥがセルエージにあることを示すため、ＣＥＵ状態に進入し、現在のＵＥが切り替えプロセス等をトリガしなくて、制御面安定状態にあって、同時に、ＵＥ能力がＬｏｎｇ ＤＲＸとＡＮＲ測定能力を備えることを検索し、そのため、当該コードネームＦのＵＥが専門的にＡＮＲ測定に用いられるＵＥとして選択され、当該ＵＥにシステム内ＡＮＲに選択されるタグを付け、ＤＲＸ配置モジュールへ入力し、具体的に、以下のとおりである。
【０１０２】
ステップ６１：コードネームＦのＵＥがシステム内のＡＮＲ機能により選択されることを判断して、ステップ６２に移行する。
【０１０３】
ステップ６２：システム内ＡＮＲをサポートするＤＲＸパラメーターを取得して、ＤＲＸ周期を３２０ｍｓに設定して、タイマーがシステム内のタイマーを選別して、ＴＡＮＲ＝ＴＡＮＲｉｎｔｒａ＝１ｓ、ステップ６３に移行する。
【０１０４】
ステップ６３：ＲＲＣがＤＲＸパラメーターを配置し、同時にＵＥ状態が成功にＡＮＲに選択されるようにセットされ、タイマーＴＡＮＲを起動させて、ステップ６４に移行する。
【０１０５】
ステップ６４：タイマーＴＡＮＲが０.５ｓにカウントする時、ＵＥがＱＣＩ＝１のオーディオサービスを構築することを始動して、必ず専門のＤＲＸパラメーターを除去することを判定し、そうでない場合はＵＥのＱｏＳに影響を与えて、ステップ６５に移行する、
ステップ６５：専門のＤＲＸ配置除去プロセスを実行する。
【０１０６】
ステップ６６：サービスを基づいてＤＲＸパラメーターを配置することに対して、ＵＥが適合するか否かを判定し、セルのＤＲＸスイッチがオープンされたので、ＤＲＸパラメーターを再配置する。
【０１０７】
本発明の実施例により提出されたＡＮＲユーザー設備管理装置、及びＡＮＲユーザー設備管理装置のＵＥ選択モジュール、ＤＲＸ配置モジュール、及びＤＲＸ配置モジュールにおける判断サブモジュール、配置サブモジュール、状態識別設定サブモジュールとタイマー起動サブモジュールが、いずれも基地局におけるプロセッサにより実現でき、もちろん、具体的なロジック回路によりも実現でき、例えば、実際の応用において、前記プロセッサが中央演算処理装置（ＣＰＵ、Ｃｅｎｔｒａｌ Ｐｒｏｃｅｓｓｉｎｇ Ｕｎｉｔ）、マイクロプロセッサユニット（ＭＰＵ、Ｍｉｃｒｏ Ｐｒｏｃｅｓｓｏｒ Ｕｎｉｔ）、デジタル信号プロセッサ（ＤＳＰ、Ｄｉｇｉｔａｌ Ｓｉｇｎａｌ Ｐｒｏｃｅｓｓｏｒ）又はフィールド・プログラマブル・ゲート・アレイ（ＦＰＧＡ、Ｆｉｅｌｄ−Ｐｒｏｇｒａｍｍａｂｌｅ Ｇａｔｅ Ａｒｒａｙ）等であってよい。
【０１０８】
前記内容は本発明の好ましい実施例に過ぎなく、本発明の特許請求範囲を制限しなくて、本発明の説明書及び図面の内容を利用した同等構造又は同等プロセス変換、又は直接的に又は間接的にその他の関連の技術分野に運用されたものは、同じ理由で本発明の特許請求範囲に含まれる。
【産業上の利用可能性】
【０１０９】
本発明の実施例は、（自動近隣関係）ＡＮＲ機能が起動される時に、対応するユーザー設備を選択し、そして前記ユーザー設備のために前記ＡＮＲ機能とマッチングされる不連続受信配置を配置することである。分かるように、本発明の実施例は、ＡＮＲ機能により選択されたＵＥに対してＤＲＸパラメーター専門的に配置を行うことで、もっとも少ないＵＥに影響を与え、且つＵＥに影響を与える時間が最も短いため、ＡＮＲ測定の成功率を向上させて、セル全体のユーザーの体験に影響を与えず、同時にＫＰＩ指標に影響を与えず、さらに、本発明の実施例は、ＵＥのサービスに従ってタイムリーでＤＲＸパラメーターを調整して、ＡＮＲ機能を実行するＵＥのＱｏＳに対する影響を最低限に削減させることができる。
【図１】
2016508307.tif 000003
【図２】
2016508307.tif 000004
【図３】
2016508307.tif 000005
【図４】
2016508307.tif 000006
【図５】
2016508307.tif 000007
【図６】
2016508307.tif 000008
【図７】
2016508307.tif 000009
【図８】
2016508307.tif 000010
【国際調査報告】
2016508307.tif 000011
2016508307.tif 000012
2016508307.tif 000013
2016508307.tif 000014
2016508307.tif 000015
2016508307.tif 000016